(57)【特許請求の範囲】
【請求項１】
円筒状の両端の内周縁に面取部が形成され、内周に内方に突出する凸部を備えた永久磁石と、中心部に設けられた回転軸に嵌合され外周に回り止を有するロータコアと、同ロータコアと前記永久磁石との間の空隙部に配置され、中心部に挿通孔と、前記凸部または回り止と嵌合される各々の嵌合溝と、両端外周から突設され前記面取部よりも大きい環状フラップを各々有する緩衝部材と、同緩衝部材の外端面に配設され中心部に挿通孔と、外周部に前記面取部に対向し傾斜して突出するフランジを有する断面皿状に形成された一対の端板とからなり、
前記緩衝部材の環状フラップを前記端板のフランジと前記永久磁石の面取部の間に挟持して前記端板を前記回転軸に両端から挿入固定してなることを特徴とするモータのロータ。
【請求項２】
前記緩衝部材の環状フラップに、複数のスリットを放射状に形成してなることを特徴とする請求項１記載のモータのロータ。
【発明の詳細な説明】
【０００１】
【発明の属する技術分野】
本発明はモータのロータに係り、詳しくはロータコアの防振構造に関する。
【０００２】
【従来の技術】
図５（ａ）は従来のモータのロータの一例を示す左側面図、（ｂ）はＡＡ断面図、（ｃ）は右側面図である。
従来、モータのロータ１は、外周部に永久磁石４を配し、同永久磁石４と中心部に設けられた回転軸３に嵌合されたロータコア２との間の空隙部に２個のゴムによる緩衝部材５を対向して配置する。
それとともに、同緩衝部材５の外端面を各々押さえる端板６によって保持し、ピン１１とストッパ１２により嵌合していた。
【０００３】
しかしながら、前記永久磁石４に対し緩衝部材５及びロータコア２を回転軸方向から挿入するとともに、その方向に嵌合し取付けるため前記緩衝部材５が大きくなり、且つ、形状が複雑となり、材料費、取付工数がかかりコスト削減の障害となるおそれがあり問題となっていた。
一方、特開平９−１４９５７１に開示された防振構造の技術は、部品点数が多くなり、製造工程が多くなるとともに、永久磁石と回転軸のズレを低減する構造を有していない問題が残されている。
【０００４】
【発明が解決しようとする課題】
本発明は、上記従来の問題点に鑑みなされたもので、モータのロータの振動、騒音を削減するとともに永久磁石と回転軸のズレを低減して信頼性を向上し、製造コストを削減したモータのロータを提供することを目的としている。
【０００５】
【課題を解決するための手段】
上記目的を達成するために、円筒状の両端の内周縁に面取部が形成され、内周に内方に突出する凸部を備えた永久磁石と、中心部に設けられた回転軸に嵌合され外周に回り止を有するロータコアと、同ロータコアと前記永久磁石との間の空隙部に配置され、中心部に挿通孔と、前記凸部または回り止と嵌合される各々の嵌合溝と、両端外周から突設され前記面取部よりも大きい環状フラップを各々有する緩衝部材と、同緩衝部材の外端面に配設され中心部に挿通孔と、外周部に前記面取部に対向し傾斜して突出するフランジを有する断面皿状に形成された一対の端板とからなり、
前記緩衝部材の環状フラップを前記端板のフランジと前記永久磁石の面取部の間に挟持して前記端板を前記回転軸に両端から挿入固定してなるようにする。
【０００６】
そして、前記緩衝部材の環状フラップに、複数のスリットを放射状に形成してなるようにする。
【０００７】
【発明の実施の形態】
発明の実施の形態を実施例に基づき添付図面を参照して詳細に説明する。
図１（ａ）は、本発明によるモータのロータの一実施例を示す断面図、（ｂ）は要部拡大断面図、図２（ａ）は、本発明によるロータの永久磁石の一実施例を示す断面図、（ｂ）は側面図、図３（ａ）は、本発明によるロータの緩衝部材の一実施例を示す断面図、（ｂ）は側面図、図４（ａ）は、本発明によるロータの側板の一実施例を示す断面図、（ｂ）は側面図である。
ここで、従来例と同じ部分の符号は同一とする。
図において、１はロータ、２はロータコア、３は回転軸、３ａは回り止、４は永久磁石、４ａは凸部、４ｂは面取部、５は緩衝部材、５ａは挿通孔、５ｂは嵌合溝、５ｃは嵌合溝、５ｄは環状フラップ、６は端板、６ａはフランジ、６ｂは挿通孔、６ｃはカシメ部を示す。
【０００８】
この実施例によるロータ１は、ロータコア２、回転軸３及び回り止３ａ、永久磁石４、緩衝部材５、端板６などから構成される。
先ず、主な構成部品について説明すると、中心部には前記回転軸３に嵌合され外周に回り止３を有するロータコア２が設けられる。
【０００９】
また、前記永久磁石４は、円筒状の両端の内周縁に面取部４ｂと、内周に内方に突出する凸部４ａを備えている。
そして、前記ロータコア２と前記永久磁石４との間の空隙部に配置される緩衝部材５は、中央に挿通孔５ａと、前記回り止３ａと嵌合される嵌合溝５ｂと、外周部に前記凸部４ａと嵌合される嵌合溝５ｃと、両端外周縁から突設され前記面取部４ｂよりも大きい環状フラップ５ｄを各々有する。
【００１０】
また、前記緩衝部材５の外端面に配設される一対の端板６は、中心部に挿通孔６ｂとカシメ部６ｃと外周部に前記面取部４ｂに対向し傾斜して突出するフランジ６ａを有する断面皿状に形成されている。
【００１１】
このような構成部品を用いて、前記緩衝部材５の環状フラップ５ｄを前記端板６のフランジ６ａと前記永久磁石４の面取部４ｂの間に挟持して前記端板６を前記回転軸３に両端から挿入し前記カシメ部６ｃによりかしめ固定している。
【００１２】
また、前記緩衝部材５の環状フラップ５ｄに、複数のスリット５ｄ１を放射状に形成している。
【００１３】
次いで、上述の実施例による本発明の作用、効果について説明する。
前記端板６を、外周縁から外側に傾斜して突出するフランジ６ａを有する断面皿状に形成し、同フランジ６ａの傾斜角に対応し前記永久磁石４の円筒状の両端の内周縁に面取部４ｂを形成し、同面取部４ｂよりも大きい環状フラップ５ｄを前記緩衝部材５の両端外周から突設するとともに、前記緩衝部材５ｄの環状フラップ５ｄを前記端板６のフランジ６ａと前記永久磁石４の面取部４ｂの間に挟持しているので、前記ロータ１の振動、騒音を削減するとともに、前記永久磁石４と回転軸３の回転中心とのズレを押さえ、前記永久磁石４の脱落を防止し信頼性を向上させることができる。
【００１４】
また、前記緩衝部材５の環状フラップ５ｄに、複数のスリット５ｄ１を放射状に形成しているので、同スリット５ｄ１により前記端板６を嵌入した際に、外周部に前記環状フラップ５ｄが倒れ易くなり、前記永久磁石４と該端板６との接触を防止することができる。
【００１５】
【発明の効果】
以上のように本発明においては、円筒状の両端の内周縁に面取部が形成され、内周に内方に突出する凸部を備えた永久磁石と、中心部に設けられた回転軸に嵌合され外周に回り止を有するロータコアと、同ロータコアと前記永久磁石との間の空隙部に配置され、中心部に挿通孔と、前記凸部または回り止と嵌合される各々の嵌合溝と、両端外周から突設され前記面取部よりも大きい環状フラップを各々有する緩衝部材と、同緩衝部材の外端面に配設され中心部に挿通孔と、外周部に前記面取部に対向し傾斜して突出するフランジを有する断面皿状に形成された一対の端板とからなり、
前記緩衝部材の環状フラップを前記端板のフランジと前記永久磁石の面取部の間に挟持して前記端板を前記回転軸に両端から挿入固定してなるようにした。
この結果、モータのロータの振動、騒音を削減するとともに永久磁石と回転軸のズレを低減して信頼性を向上し、製造コストを削減したモータのロータを提供することができる。
【図面の簡単な説明】
【図１】（ａ）は、本発明によるモータのロータの一実施例を示す断面図、（ｂ）は要部拡大断面図である。
【図２】（ａ）は、本発明によるロータの永久磁石の一実施例を示す断面図、（ｂ）は側面図である。
【図３】（ａ）は、本発明によるロータの緩衝部材の一実施例を示す断面図、（ｂ）は側面図である。
【図４】（ａ）は、本発明によるロータの側板の一実施例を示す断面図、（ｂ）は側面図である。
【図５】（ａ）は従来のモータのロータの一例を示す左側面図、（ｂ）はＡＡ断面図、（ｃ）は右側面図である。
【符号の説明】
１  ロータ
２  ロータコア
３  回転軸
３ａ  回り止
４  永久磁石
４ａ  凸部
４ｂ  面取部
５  緩衝部材
５ａ  挿通孔
５ｂ  嵌合溝
５ｃ  嵌合溝
５ｄ  環状フラップ
５ｄ１  スリット
６  端板
６ａ  フランジ
６ｂ  挿通孔
６ｃ  カシメ部
【図１】
0004438160.tif 000002
【図２】
0004438160.tif 000003
【図３】
0004438160.tif 000004
【図４】
0004438160.tif 000005
【図５】
0004438160.tif 000006